【手続補正書】
【提出日】平成20年10月28日(2008.10.28)
【手続補正１】
【補正対象書類名】特許請求の範囲
【補正対象項目名】全文
【補正方法】変更
【補正の内容】
【特許請求の範囲】
【請求項１】
下記のものを含む健康装置：
前記装置のユーザの身体部分のための少なくとも１つの支持体；
前記身体部分を動かすように適応された少なくとも１つのロボットアクチュエータ；および
前記ユーザの身体的訓練の必要性に応じて前記アクチュエータを制御するように構成されたコントローラであって、主として前記ユーザの非身体的訓練活動を補助するようにも適応されるコントローラ。
【請求項２】
少なくとも１つのセンサをさらに備える請求項１に記載の健康装置。
【請求項３】
前記少なくとも１つのセンサは前記装置の状態を感知する請求項２に記載の健康装置。
【請求項４】
前記少なくとも１つのセンサは前記ユーザの状態を感知する請求項２に記載の健康装置。
【請求項５】
前記ユーザの身体部分は前記ユーザの腕、脚、頭、胸郭、上半身、または下半身の少なくとも一部分である請求項１に記載の健康装置。
【請求項６】
前記少なくとも１つの支持体は調整可能である請求項１に記載の健康装置。
【請求項７】
前記少なくとも１つの支持体は関着される請求項１に記載の健康装置。
【請求項８】
前記装置の移動性をもたらすように適応された少なくとも１つのホイールまたはトラックをさらに備える請求項１に記載の健康装置。
【請求項９】
前記非身体的訓練活動は認知的訓練を含む請求項１に記載の健康装置。
【請求項１０】
前記ユーザの少なくとも一部分を刺激するように適応かつ構成された少なくとも１つの刺激器をさらに備える請求項１に記載の健康装置。
【請求項１１】
基部をさらに備える請求項１に記載の健康装置。
【請求項１２】
前記装置の一部分は、ユーザ座位を含む、ユーザ立位からユーザ臥位までの範囲にわたって自在に調整可能である請求項１に記載の健康装置。
【請求項１３】
ユーザ生成物質用の容器をさらに備える請求項１に記載の健康装置。
【請求項１４】
前記身体的訓練および非身体的訓練は前記ユーザの前記感知された状態に適合される請求項４に記載の健康装置。
【請求項１５】
前記非身体的訓練活動は、社会化、スケジューリング支援、典型的な日常の活動、および他の装置の制御の少なくとも１つである請求項１に記載の健康装置。
【請求項１６】
前記典型的な日常の活動は、就寝、食事、様々な姿勢を取ること、訓練、または動き回ることの少なくとも１つを含む請求項１５に記載の健康装置。
【請求項１７】
前記スケジューリング支援は、前記ユーザの起床、リマインダの提供、または適時投薬の少なくとも１つを含む請求項１５に記載の健康装置。
【請求項１８】
前記社会化は、他人とのコミュニケーションまたは他人との活動への参加の少なくとも１つを含む請求項１５に記載の健康装置。
【請求項１９】
他の装置の制御は、娯楽装置、家電装置、通信装置、ドア、またはアラームの少なくとも１つを制御することを含む請求項１５に記載の健康装置。
【請求項２０】
前記装置は肥満ユーザを受け入れるように適応かつ構成される請求項１に記載の健康装置。
【請求項２１】
前記装置は、並行して動作する第２健康装置に連結される請求項１に記載の健康装置。
【請求項２２】
前記装置と遠隔監視位置との間の通信リンクをさらに備える請求項１に記載の健康装置。
【請求項２３】
下記のものを含む運動訓練装置：
基部；
前記基部に回転自在に取り付けられ、かつ少なくとも６０ｃｍの半径を有する弓状要素；および
前記弓状要素に取り付けられ、かつそれに沿って移動するように適応された少なくとも１つのハンドル。
【請求項２４】
健康装置のユーザを管理するための方法であって、少なくとも前記健康装置によって前記ユーザの状態を感知するステップと、活動を開始する前に前記ユーザの活動を前記感知された状態に自動的に適合させるステップとを含み、活動が前記健康装置を使用しながら実行される、方法。
【請求項２５】
前記健康装置は一連のスケジューリング支援活動を前記ユーザに提供する請求項２４に記載の方法。
【請求項２６】
活動を適合させるために前記ユーザを検査して前記ユーザの状態を評価するステップをさらに含む請求項２４に記載の方法。
【請求項２７】
検査は口頭部分を含む請求項２６に記載の方法。
【請求項２８】
検査は身体的部分を含む請求項２６に記載の方法。
【請求項２９】
検査は、ユーザの検査の成績に基づいてユーザの得点を提供する請求項２６に記載の方法。
【請求項３０】
前記状態の感知は、ユーザによって実行される活動の検査を含む請求項２４に記載の方法。
【請求項３１】
前記状態の感知は、ユーザの意欲レベルを決定することを含む請求項２４に記載の方法。
【請求項３２】
ユーザの意欲レベルを強化することをさらに含む請求項３１に記載の方法。
【請求項３３】
強化は少なくとも１つの誘因をユーザに提供することを含む請求項３２に記載の方法。
【請求項３４】
強化は複数の人々と活動を実行することを含む請求項３２に記載の方法。
【請求項３５】
ユーザの成績は、前記複数の人々のうちの他人の成績と比較される請求項３４に記載の方法。
【請求項３６】
強化は、成功する機会を高めながら活動を実行することを含む請求項３２に記載の方法。
【請求項３７】
状態の感知は、ユーザの痛み検出を含む請求項２４に記載の方法。
【請求項３８】
前記感知はユーザからの音声キューに基づく請求項３７に記載の方法。
【請求項３９】
前記感知はユーザからの身体的キューに基づく請求項３７に記載の方法。
【請求項４０】
痛みを含むように思われる活動の強度は低減される請求項３７に記載の方法。
【請求項４１】
活動中に痛みが予想される場合、ユーザに通知される請求項３７に記載の方法。
【請求項４２】
ユーザの前記感知される状態に基づいて、前記活動の強度が徐々に増大する請求項２４に記載の方法。
【請求項４３】
前記適合は、訓練パラメータを変動させることを含む請求項２４に記載の方法。
【請求項４４】
前記適合は、予想される医療効果に活動を適合させることを含む請求項２４に記載の方法。
【請求項４５】
前記活動は、軽い突き、マッサージ、またはユーザの血流の改善の少なくとも１つを含む請求項２４に記載の方法。
【請求項４６】
前記活動は社会的相互作用を含む請求項２４に記載の方法。
【請求項４７】
前記活動は、就寝、食事、様々な姿勢を取ること、訓練、または動き回ることの少なくとも１つを含む請求項２４に記載の方法。
【請求項４８】
前記ユーザは肥満である請求項２４に記載の方法。
【請求項４９】
前記ユーザは高齢者である請求項２４に記載の方法。
【請求項５０】
前記ユーザは身体障害者である請求項２４に記載の方法。
【請求項５１】
前記状態は身体的状態である請求項２４に記載の方法。
【請求項５２】
前記状態は精神的状態である請求項２４に記載の方法。
【請求項５３】
少なくとも身体的、触覚的、運動、振動的、嗅覚的、視覚的、または聴覚的キューによって前記ユーザに指示することをさらに含む請求項２４に記載の方法。
【請求項５４】
前記活動中に前記ユーザの感知された状態に基づいて前記活動を変更することをさらに含む請求項２４に記載の方法。
【請求項５５】
健康装置で実行すべき訓練を健康装置に教示する方法であって、前記装置における訓練位置に前記装置のユーザを付け、健康装置で前記訓練の一連のステップを実行し、一連のステップを将来実行するために記録し、前記実行中に前記健康装置によって適切に記録されなかったステップを繰り返すことを含む、方法。
【請求項５６】
前記教示は遠隔位置から実行される請求項５５に記載の方法。
【請求項５７】
前記教示は前記ユーザの療法士によって行なわれる請求項５５に記載の方法。
【請求項５８】
前記教示は前記ユーザの介助者によって行なわれる請求項５５に記載の方法。
【請求項５９】
前記教示は前記ユーザの家族の一員によって行なわれる請求項５５に記載の方法。